(57)【要約】【課題】同じ素材であって、異なるフォーマットで符号化されたコンテンツの中から、受信装置に最適なフォーマットのコンテンツを検索する。【解決手段】コンテンツ受信装置がダウンロードするコンテンツを特定する情報と、同じ素材を、異なるフォーマットで符号化されたコンテンツのコンテンツ情報の取得先とをコンテンツ情報として生成するコンテンツ情報生成部を備えたコンテンツ送信装置と、コンテンツ受信装置の対応フォーマット情報と、同じ素材であって、異なるフォーマットで符号化されたコンテンツのコンテンツ情報に記載されたフォーマット情報を用いて、コンテンツ受信装置に最適なフォーマットで符号化されたコンテンツのＥＣＧデータを検索するコンテンツ情報検索部を備えたコンテンツ受信装置。【選択図】図１
2012222769.tif 000002
【特許請求の範囲】
【請求項１】
複数のコンテンツを蓄積するコンテンツ蓄積部と、
同じ素材であって、異なるフォーマットで符号化されたコンテンツであることを示す情報を別フォーマット参照情報として蓄積する別フォーマット参照情報部と、
コンテンツ受信装置がダウンロードするコンテンツを特定する情報と、前記別フォーマット参照情報とを合わせたコンテンツ情報を生成するコンテンツ情報生成部と、
前記コンテンツまたは前記コンテンツ情報を前記コンテンツ受信装置の要求に応じて前記コンテンツ受信装置に対して送信する送信部と
を備えることを特徴とするコンテンツ送信装置。
【請求項２】
さらに、前記コンテンツまたは前記コンテンツ情報を放送経路で放送する形式に変換する多重化部と、
前記多重化部を制御する送信制御部とを備え、
前記送信部は、
通信経路を介して前記コンテンツまたは前記コンテンツ情報を前記コンテンツ受信装置に対して送信する通信経路送信部と、
前記多重化部により多重化された前記コンテンツ情報または前記コンテンツ情報を、放送経路で放送する放送経路送信部と
を備えたことを特徴とする請求項１記載のコンテンツ送信装置。
【請求項３】
前記別フォーマット参照情報部は、同じ素材であって、異なるフォーマットで符号化されたコンテンツであることを示す情報として、当該コンテンツを特定するＩＤをグループ化して蓄積することを特徴とする請求項１に記載のコンテンツ送信装置。
【請求項４】
前記コンテンツ情報生成部は、前記別フォーマット参照情報として、同じ素材であって、異なるフォーマットで符号化したコンテンツのコンテンツ情報の取得先を含むコンテンツ情報を生成することを特徴とする請求項１に記載のコンテンツ送信装置。
【請求項５】
コンテンツ送信装置からコンテンツ、または、コンテンツ情報を受信する受信部と、
前記コンテンツ情報は同じ素材であって、異なるフォーマットで符号化されたコンテンツであることを示す情報を含み、
前記コンテンツを蓄積するコンテンツ蓄積部と、
前記コンテンツ情報を蓄積するコンテンツ情報蓄積部と、
同じ素材であって、異なるフォーマットで符号化したコンテンツの中から再生に最適なフォーマットで符号化されたコンテンツのコンテンツ情報を前記コンテンツ情報蓄積部に蓄積されたコンテンツ情報から検索するコンテンツ情報検索部と、
を備えたコンテンツ受信装置。
【請求項６】
前記受信部は、
通信経路を介して前記コンテンツまたは前記コンテンツ情報を受信する通信経路受信部と、
放送経路を介して放送された多重化された前記コンテンツまたは前記コンテンツ情報を受信する放送経路受信部とを備え、
さらに、
前記放送経路受信部で受信した、多重化された前記コンテンツまたは前記コンテンツ情報を分離する多重分離部と
を備えたことを特徴とする請求項５記載のコンテンツ受信装置。
【請求項７】
さらに、
選択されたコンテンツのコンテンツ情報に記載された、同じ素材であって、異なるフォーマットで符号化されたコンテンツを特定するＩＤをもとに、前記コンテンツ情報蓄積部に蓄積された、同じ素材であって、異なるフォーマットで符号化されたコンテンツのコンテンツ情報を探し、または、前記コンテンツ情報蓄積部に蓄積されていない場合には、同じ素材であって、異なるフォーマットで符号化されたコンテンツのコンテンツ情報の取得先からコンテンツ情報を取得するデータ処理部を
備えることを特徴とする請求項５に記載のコンテンツ受信装置。
【請求項８】
前記コンテンツ情報検索部は、選択されたコンテンツのコンテンツ情報に記載されたフォーマット情報と、前記データ処理部が取得した同じ素材であって、異なるフォーマットで符号化されたコンテンツのコンテンツ情報に記載されたフォーマット情報と、当該コンテンツ受信装置の対応フォーマット情報とを比較し、当該コンテンツ受信装置に最適なフォーマットで符号化されたコンテンツを検索する
ことを特徴とする請求項７に記載のコンテンツ受信装置。
【発明の詳細な説明】
【技術分野】
【０００１】
本発明は、様々なフォーマットで符号化されたコンテンツを放送経路や通信経路を介してダウンロード視聴する際に、同じ素材を様々なフォーマットで符号化されたコンテンツの中から所望のフォーマットのコンテンツを選択するためのコンテンツ送信装置及びコンテンツ受信装置に関するものである。
【背景技術】
【０００２】
インターネットの普及により、視聴者が見たいコンテンツを選び、通信経路を介してダウンロード視聴するサービスがある。また、輻輳の影響がなく大容量で伝送できる放送経路を介してコンテンツを伝送し、ダウンロード視聴するサービスもある。
【０００３】
これらのサービスにおいて、パソコン、テレビ、携帯端末など、コンテンツ受信装置ごとに再生可能なフォーマットが異なるため、同じ素材を様々なフォーマットで符号化した複数のコンテンツが存在する場合がある。
【０００４】
このように同じ素材を様々なフォーマットで符号化した複数のコンテンツが存在する、従来のコンテンツ送信装置およびコンテンツ受信装置から成るコンテンツ送受信システムの構成を図４に示す。
【０００５】
コンテンツ送信装置１００は、コンテンツ生成部１０１で生成したコンテンツをコンテンツ蓄積部１０２に蓄積する。蓄積されたコンテンツを視聴者側で選択しダウンロード視聴するための情報として、コンテンツ情報生成部１０３は、各々のコンテンツに固有のＩＤであるコンテンツ参照識別子を付与し、図５に示すようなコンテンツ情報３００を生成し、通信部１０６から通信経路を介して、あるいは多重化部１０７と送信部１０９から放送経路を介して、コンテンツ受信装置２００へ送信する。
【０００６】
コンテンツ受信装置２００は、コンテンツ情報３００を、通信経路を介して通信部２０１で受信、あるいは放送経路を介して受信部２０２と多重分離部２０３で受信し、データ処理部２０４を経てコンテンツ情報蓄積部２０７に蓄積する。また、コンテンツ受信装置２００は、コンテンツ情報蓄積部２０７に蓄積されたコンテンツ情報３００の内、ＥＣＧ（Ｅｌｅｃｔｒｉｃ Ｃｏｎｔｅｎｔｓ Ｇｕｉｄｅ）データ３０２のコンテンツ記述メタデータ３０３を用いて、ダウンロードできるコンテンツのリストを視聴者に提示する。同じ素材を様々なフォーマットで符号化した複数のコンテンツが存在する場合、それぞれ別のコンテンツとして提示する。視聴者がこの中から視聴したいコンテンツを選択すると、データ処理部２０４はコンテンツ参照識別子で選択したコンテンツを特定し、コンテンツ情報蓄積部２０７から同じコンテンツ参照識別子を持つインスタンス記述メタデータ３０４を探し、そこに記載されたダウンロード制御情報３０１の取得先情報を取得する。取得先情報とは、ダウンロード制御情報３０１の取得先を通信経路上で特定するために、コンテンツ送信装置１００のコンテンツ情報蓄積部１０４における蓄積場所がＵＲＬ等で記載されている。
【０００７】
取得先から取得したダウンロード制御情報３０１には選択したコンテンツの取得先情報が記載されている。取得先情報として、コンテンツの取得先を通信経路上で特定するためにコンテンツ送信装置１００のコンテンツ蓄積部１０２における蓄積場所がＵＲＬ等で記載されている場合、データ処理部２０４はコンテンツを通信経路で取得すると判断し、コンテンツ送信装置１００に対して記載された取得先からコンテンツをダウンロードする要求を送信し、要求を受信したコンテンツ送信装置１００は、コンテンツ蓄積部１０２から通信部１０６を経て、要求された識別子のコンテンツを送信する。コンテンツ受信装置２００はこのコンテンツを受信、コンテンツ蓄積部２０８に蓄積する。
【０００８】
一方、取得先情報として、コンテンツの取得先を放送経路上で特定するためにコンテンツが放送される場所がチャンネル、サービスＩＤ等で記載されており、さらにダウンロード制御情報３０１にコンテンツ放送開始時刻とコンテンツ放送時間長が記載されている場合、データ処理部２０４はコンテンツを放送経路で取得すると判断し、この放送スケジュールに従って蓄積予約をする。コンテンツ送信装置１００は、コンテンツ蓄積部１０２に蓄積されたコンテンツを、ダウンロード制御情報３０１に記載されたチャンネル、サービスＩＤで放送スケジュールに従って送信制御部１０８が多重化部１０７を制御し、送信部１０９を経て、コンテンツを放送する。コンテンツ受信装置２００は予約した放送スケジュールに従いダウンロード制御情報に記載されたチャンネル、サービスＩＤを選局し、このコンテンツを受信、コンテンツ蓄積部２０８に蓄積する。
【０００９】
コンテンツ蓄積部２０８に蓄積されたコンテンツが、コンテンツ受信装置２００が対応しているフォーマットで符号化されたコンテンツの場合は、映像音声処理部２０９で処理、映像音声出力部２１０から出力し、視聴者が選択したコンテンツを視聴できる。一方、対応していないフォーマットで符号化されたコンテンツの場合は、蓄積されたコンテンツが視聴できないことを視聴者に提示する。
【００１０】
従来のコンテンツ送受信システムには、コンテンツ受信装置が対応していないフォーマットで符号化されたコンテンツのコンテンツ情報を削除するコンテンツ受信装置もある（例えば特許文献１参照）。
【００１１】
また、コンテンツ受信装置が対応していないフォーマットで符号化されたコンテンツを、コンテンツ受信装置内部のエンコーダを用いて、対応するフォーマットに変換するコンテンツ受信装置もある（例えば特許文献２参照）。
【００１２】
さらに、コンテンツ受信装置が対応していないフォーマットで符号化されたコンテンツを、通信ネットワーク上の別のトランスコードサーバを用いて、対応するフォーマットに変換するコンテンツ送受信システムもある（例えば特許文献３参照）。
【先行技術文献】
【特許文献】
【００１３】
【特許文献１】特開２００９−０３７３２０号公報
【特許文献２】特開２００７−２１５０９９号公報
【特許文献３】特開２００４−１０２３３９号公報
【発明の概要】
【発明が解決しようとする課題】
【００１４】
しかしながら、上記従来のコンテンツ送信装置およびコンテンツ受信装置から成るコンテンツ送受信システムでは、同じ素材を様々なフォーマットで符号化した複数のコンテンツが存在する場合、それらを関連付ける情報がないため、コンテンツ受信装置の対応したフォーマットのコンテンツの中から最適なコンテンツを選択することができない。
【００１５】
特許文献１に記載のコンテンツ送受信システムでは、コンテンツ受信装置が対応していないフォーマットで符号化されたコンテンツのコンテンツ情報を削除するため、コンテンツ受信装置が対応したフォーマットで符号化されたコンテンツだけをダウンロードできるコンテンツのリストとして視聴者に提示できるが、コンテンツ受信装置が対応しているフォーマットで符号化されたコンテンツが複数あった場合、同じ素材を別のフォーマットで符号化したコンテンツを関連付ける情報がないため、コンテンツ受信装置の対応したフォーマットのコンテンツの中から最適なコンテンツを選択することができないのは同様である。
【００１６】
特許文献２、３に記載のコンテンツ送受信システムでは、同じ素材を別のフォーマットで符号化したコンテンツを関連付ける情報がないため、コンテンツ送信装置がコンテンツ受信装置の対応したフォーマットで符号化されたコンテンツを別に蓄積していたとしてもそれを検索することができず、コンテンツ受信装置が対応していないフォーマットで符号化されたコンテンツをすべてフォーマット変換することになり、コンテンツ受信装置の対応したフォーマットのコンテンツの中から最適なコンテンツを選択することができないのは同様である。
【００１７】
このため、視聴者がダウンロード視聴したい素材に対し、様々なフォーマットで符号化したコンテンツの中からコンテンツ受信装置が最適なコンテンツを選択することができない、という課題を有していた。
【課題を解決するための手段】
【００１８】
前記従来の課題を解決するために、本発明のコンテンツ送信装置は、複数のコンテンツを蓄積するコンテンツ蓄積部と、同じ素材であって、異なるフォーマットで符号化されたコンテンツであることを示す情報を別フォーマット参照情報として蓄積する別フォーマット参照情報部と、コンテンツ受信装置がダウンロードするコンテンツを特定する情報と、前記別フォーマット参照情報とを合わせたコンテンツ情報を生成するコンテンツ情報生成部と、前記コンテンツまたは前記コンテンツ情報を前記コンテンツ受信装置の要求に応じて前記コンテンツ受信装置に対して送信する送信部とを備える。
【００１９】
また、本発明のコンテンツ受信装置は、コンテンツ送信装置からコンテンツ、または、コンテンツ情報を受信する受信部と、前記コンテンツ情報は同じ素材であって、異なるフォーマットで符号化されたコンテンツであることを示す情報を含み、前記コンテンツを蓄積するコンテンツ蓄積部と、前記コンテンツ情報を蓄積するコンテンツ情報蓄積部と、同じ素材であって、異なるフォーマットで符号化したコンテンツの中から再生に最適なフォーマットで符号化されたコンテンツのコンテンツ情報を前記コンテンツ情報蓄積部に蓄積されたコンテンツ情報から検索するコンテンツ情報検索部とを備える。
【００２０】
このような構成によって、視聴者が選択したコンテンツに対して、同じ素材であって、様々なフォーマットで符号化したコンテンツの中から、コンテンツ受信装置が対応しているフォーマットで符号化されたコンテンツを検索、さらにそれが複数存在する場合にはその中からコンテンツ受信装置に最適なコンテンツを容易に検索することが可能となる。
【発明の効果】
【００２１】
本発明のコンテンツ送信装置およびコンテンツ受信装置によれば、視聴者が選択したコンテンツに対して、同じ素材を様々なフォーマットで符号化したコンテンツの中から、コンテンツ受信装置が対応しているフォーマットで符号化されたコンテンツを検索、さらにそれが複数存在する場合にはその中からコンテンツ受信装置に最適なコンテンツを容易に検索することができる。
【図面の簡単な説明】
【００２２】
【図１】実施の形態におけるコンテンツ送信装置およびコンテンツ受信装置の構成図
【図２】実施の形態におけるコンテンツ情報の構成図
【図３】実施の形態におけるコンテンツ選択のフローチャート
【図４】従来のコンテンツ送信装置およびコンテンツ受信装置の構成図
【図５】従来のコンテンツ情報の構成図
【発明を実施するための形態】
【００２３】
（実施の形態）
以下、実施の形態について図面を用いて説明する。
【００２４】
まず、本実施の形態に係るコンテンツ送信装置およびコンテンツ受信装置の概要について説明する。
【００２５】
図１は、実施の形態に係るコンテンツ送信装置およびコンテンツ受信装置の構成図である。図２は、実施の形態に係るコンテンツ情報の構成図である。図３は、実施の形態に係るコンテンツ受信装置が自身に最適なコンテンツを選択するフローチャートである。
【００２６】
コンテンツ送信装置１００は、コンテンツ生成部１０１で生成したコンテンツをコンテンツ蓄積部１０２に蓄積する。コンテンツには、映像や音声、静止画像などが含まれる。
【００２７】
そして、蓄積されたコンテンツを視聴者側で選択しダウンロード視聴するための情報として、コンテンツ情報生成部１０３は各々のコンテンツに固有のＩＤであるコンテンツ参照識別子を付与する。図２には、コンテンツ情報４００の一例を示す。
【００２８】
同じ素材であって、別のフォーマットで符号化したコンテンツがあった場合には、それらのコンテンツ参照識別子をグループ化して、別フォーマット参照情報部１０５としてコンテンツ情報４００に記す。別フォーマット参照情報部は、別のフォーマットのコンテンツ情報である、別のフォーマットのコンテンツ参照識別子や、別のフォーマットのＥＣＧデータの取得先情報等からなる。
【００２９】
コンテンツ情報４００は、コンテンツ取得に関する情報が記載されたダウンロード制御情報４０１と、コンテンツの詳細情報が記載されたＥＣＧ（Ｅｌｅｃｔｏｒｉｃ Ｃｏｎｔｅｎｔｓ Ｇｕｉｄｅ）データ４０２とから構成される。ＥＣＧデータ４０２は、コンテンツのタイトル、映像、音声符号化方式、映像の水平、垂直サイズなどが記載されたコンテンツ記述メタデータ４０３と、ダウンロード制御情報の取得先が記載されたインスタンス記述メタデータ４０４とから構成される。
【００３０】
ダウンロード制御情報４０１には、コンテンツが放送経路で放送される場合のスケジュールを示すコンテンツ放送開始時刻とコンテンツ放送時間長、コンテンツを特定するＩＤであるコンテンツ参照識別子、コンテンツの取得先情報、コンテンツのタイトル等が記載される。また、別フォーマット参照情報部にそのコンテンツ参照識別子を含むグループがあった場合は、グループに含まれる他のコンテンツのコンテンツ参照識別子と、ＥＣＧデータの取得先とを、別フォーマット情報として記載される。
【００３１】
生成されたコンテンツ情報４００は、通信部１０６から通信経路を介して、あるいは多重化部１０７で放送形式に多重化された後に送信部１０９から放送経路を介して、コンテンツ受信装置２００へ送信される。
【００３２】
図３を用いて、コンテンツ受信装置２００の処理の流れを説明する。
【００３３】
コンテンツ受信装置２００は、コンテンツ情報４００を、通信経路を介して通信部２０１で受信、あるいは放送経路を介して受信部２０２と多重分離部２０３で受信し、データ処理部２０４を経てコンテンツ情報蓄積部２０７に蓄積する（Ｓ５０１）。
【００３４】
視聴者がダウンロード視聴するコンテンツを選択し、その旨の指示をコンテンツ受信装置２００が受けた場合（Ｓ５０２でＹＥＳ）、コンテンツ受信装置２００は、コンテンツ情報蓄積部２０７に蓄積されたコンテンツ情報データ４００の内、ＥＣＧ（Ｅｌｅｃｔｏｒｉｃ Ｃｏｎｔｅｎｔｓ Ｇｕｉｄｅ）データ４０２のコンテンツ記述メタデータ４０３を用いて、ダウンロードできるコンテンツのリストを、図示しない表示部を通じて、視聴者に提示する（Ｓ５０３）。図示してはいないが、コンテンツのリストの一覧を表示部に提示し、それらを視聴者がマウスやタッチパッドなどの入力手段により選択することで、コンテンツ受信装置２００は、視聴者が選択したコンテンツを検知することができる。
【００３５】
視聴者が、ダウンロードできるコンテンツのリストの中から視聴したいコンテンツを選択し、選択されたコンテンツの情報をコンテンツ受信装置２００が受けると（Ｓ５０４）、データ処理部２０４は選択されたコンテンツをコンテンツ参照識別子で特定し、コンテンツ情報蓄積部２０７から同じコンテンツ参照識別子を持つインスタンス記述メタデータ４０４を探し、そこに記載されたダウンロード制御情報の取得先情報を取得する（Ｓ５０５）。ダウンロード制御情報の取得先情報とは、ダウンロード制御情報４０１の取得先を通信経路上で特定するために、コンテンツ送信装置１００のコンテンツ情報蓄積部１０４における蓄積場所がＵＲＬ等で記載されている。
【００３６】
取得先から取得したダウンロード制御情報４０１には、選択したコンテンツと同じ素材で異なるフォーマットで符号化されたコンテンツのコンテンツ参照識別子とＥＣＧ（Ｅｌｅｃｔｒｉｃ Ｃｏｎｔｅｎｔｓ Ｇｕｉｄｅ）データの取得先情報とから成る別フォーマットのコンテンツ情報が記載されている場合がある。
【００３７】
別フォーマットのコンテンツ情報が記載されている場合（Ｓ５０６でＹＥＳ）には、データ処理部２０４はコンテンツ情報蓄積部２０７にそのコンテンツ参照識別子を持つＥＣＧデータがないか探す（Ｓ５０７）。
【００３８】
コンテンツ情報蓄積部２０７にそのコンテンツ参照識別子を持つＥＣＧデータがない場合（Ｓ５０７でＮＯ）には、別フォーマット情報に記載されたＥＣＧデータの取得先情報から通信経路を介して異なるフォーマットのコンテンツのＥＣＧデータを取得する（Ｓ５０８）。ＥＣＧデータの取得先情報とは、ＥＣＧデータ４０２の取得先を通信経路上で特定するために、コンテンツ送信装置１００のコンテンツ情報蓄積部１０４における蓄積場所がＵＲＬ等で記載されている。
【００３９】
コンテンツ情報蓄積部２０７にそのコンテンツ参照識別子を持つＥＣＧデータがある場合（Ｓ５０７でＹＥＳ）は、続くＳ５０９の処理を行う。
【００４０】
データ処理部２０４は、視聴者が選択したコンテンツのＥＣＧデータのコンテンツ記述メタデータ、別フォーマットのコンテンツのＥＣＧデータのコンテンツ記述メタデータ、各々に記載されたコンテンツの映像、音声符号化方式や、映像の水平、垂直サイズ等のフォーマット情報と、対応フォーマット情報部２０５に蓄積されているコンテンツ受信装置の対応フォーマット情報とを比較し（Ｓ５０９）、コンテンツ受信装置に最適なフォーマットで符号化されたコンテンツを検索する。
【００４１】
ダウンロード制御情報に別フォーマットのコンテンツ情報が記載されていない場合（Ｓ５０６でＮＯに進む）は、視聴者が選択したコンテンツのＥＣＧデータのコンテンツ記述メタデータに記載されたコンテンツのフォーマット情報のみと、対応フォーマット情報部２０５に蓄積されているコンテンツ受信装置の対応フォーマット情報とを比較し（Ｓ５０９）、コンテンツ受信装置が対応しているフォーマットかどうかを判断する。
【００４２】
コンテンツ受信装置に最適なフォーマットを選択する一例として、コンテンツ受信装置が対応している解像度の中で最も解像度の高いコンテンツを選択する、または、コンテンツ受信装置が対応している映像、音声符号化方式の中で最も符号化効率が良くダウンロードサイズの少ないコンテンツを選択する、といった手段がある。
【００４３】
検索したコンテンツの中に最適なフォーマットで符号化されたコンテンツが存在した場合（Ｓ５１０）、コンテンツ記述メタデータに記載されたコンテンツ参照識別子から最適なコンテンツが特定される。
【００４４】
それが最初に視聴者が選択したコンテンツであれば、すでにダウンロード制御情報は取得済みであるが（Ｓ５１１でＹＥＳの進む）、最初に視聴者が選択したコンテンツ以外の場合は、コンテンツ情報蓄積部２０７から同じコンテンツ参照識別子を持つインスタンス記述メタデータ４０４を探し、そこに記載されたダウンロード制御情報４０１の取得先情報を再び取得する（Ｓ５１２）。
【００４５】
検索したコンテンツの中にコンテンツ受信装置２００が対応するフォーマットで符号化されたコンテンツが存在しない場合は、ダウンロード視聴できないことを視聴者に通知する（Ｓ５１３）。
【００４６】
取得先から再び取得したダウンロード制御情報４０１には、検索したコンテンツの取得先情報が記載されている。取得先情報として、コンテンツの取得先を通信経路上で特定するためにコンテンツ送信装置１００のコンテンツ蓄積部１０２における蓄積場所がＵＲＬ等で記載されている場合、データ処理部２０４はコンテンツを通信経路で取得すると判断し（Ｓ５１４で「通信経路」に進む）、コンテンツ送信装置１００に対して記載された取得先からコンテンツをダウンロードする要求を送信し、要求を受信したコンテンツ送信装置１００は、コンテンツ蓄積部１０２から通信部１０６を経て、要求された識別子のコンテンツを送信する。コンテンツ受信装置２００はこのコンテンツを受信、コンテンツ蓄積部２０８に蓄積する（Ｓ５１５）。
【００４７】
一方、取得先情報として、コンテンツの取得先を放送経路上で特定するためにコンテンツが放送される場所がチャンネル、サービスＩＤ等で記載されており、さらにダウンロード制御情報４０１にコンテンツ放送開始時刻とコンテンツ放送時間長が記載されている場合（Ｓ５１４で「放送経路」に進む）、データ処理部２０４はコンテンツを放送経路で取得すると判断し、この放送スケジュールに従って蓄積予約をする（Ｓ５１６）。
【００４８】
続いて、コンテンツ送信装置１００は、コンテンツ蓄積部１０２に蓄積されたコンテンツを、ダウンロード制御情報４０１に記載されたチャンネル、サービスＩＤで放送スケジュールに従って送信制御部１０８が多重化部１０７を制御し、送信部１０９を経て、コンテンツを放送する。コンテンツ受信装置２００は予約した放送スケジュールに従いダウンロード制御情報に記載されたチャンネル、サービスＩＤを選局し、このコンテンツを受信、コンテンツ蓄積部２０８に蓄積する（Ｓ５１７）。
【００４９】
以上のように、放送経路や通信経路を通じて取得し、コンテンツ蓄積部２０８に蓄積されたコンテンツは、映像音声処理部２０９で処理、映像音声出力部２１０から出力し、視聴者が視聴することができる（Ｓ５１８）。
【００５０】
このように、視聴者が選択したコンテンツに対して、同じ素材を様々なフォーマットで符号化したコンテンツの中から、コンテンツ受信装置が対応しているフォーマットで符号化されたコンテンツを検索、さらにそれが複数存在する場合にはその中からコンテンツ受信装置に最適なコンテンツを容易に検索することができる。
【産業上の利用可能性】
【００５１】
本発明にかかるコンテンツ送信装置およびコンテンツ受信装置は、視聴者が選択したコンテンツに対して、同じ素材を様々なフォーマットで符号化したコンテンツの中から、コンテンツ受信装置が対応しているフォーマットで符号化されたコンテンツを検索、さらにそれが複数存在する場合にはその中からコンテンツ受信装置に最適なコンテンツを容易に検索することができるため、様々なフォーマットの中から所望のフォーマットのコンテンツを選択するためのコンテンツ送信装置及びコンテンツ受信装置として有用である。
【符号の説明】
【００５２】
１００  コンテンツ送信装置
１０１  コンテンツ生成部
１０２  コンテンツ蓄積部
１０３  コンテンツ情報生成部
１０４  コンテンツ情報蓄積部
１０５  別フォーマット参照情報部
１０６  通信部
１０７  多重化部
１０８  送信制御部
１０９  送信部
２００  コンテンツ受信装置
２０１  通信部
２０２  受信部
２０３  多重分離部
２０４  データ処理部
２０５  対応フォーマット情報部
２０６  コンテンツ情報検索部
２０７  コンテンツ情報蓄積部
２０８  コンテンツ蓄積部
２０９  映像音声処理部
２１０  映像音声出力部
３００  従来のコンテンツ情報
３０１  従来のダウンロード制御情報
３０２  従来のＥＣＧ（Ｅｌｅｃｔｏｒｉｃ Ｃｏｎｔｅｎｔｓ Ｇｕｉｄｅ）データ
３０３  従来のコンテンツ記述メタデータ
３０４  従来のインスタンス記述メタデータ
４００  別フォーマット参照情報付きコンテンツ情報
４０１  別フォーマット参照情報付きダウンロード制御情報
４０２  ＥＣＧ（Ｅｌｅｃｔｒｉｃ Ｃｏｎｔｅｎｔｓ Ｇｕｉｄｅ）データ
４０３  コンテンツ記述メタデータ
４０４  インスタンス記述メタデータ
【図１】
2012222769.tif 000003
【図２】
2012222769.tif 000004
【図３】
2012222769.tif 000005
【図４】
2012222769.tif 000006
【図５】
2012222769.tif 000007